(57)【要約】      （修正有）【課題】特にカード式電子データ記録媒体に適用されるカード用コネクタを提供する。【解決手段】カード式電子データ記録媒体と回路板との間を電気接続するためのカード用コネクタであって、複数の開口２０が形成された絶縁体２と、各開口２０に取り付けられると共に、両端が絶縁体２に固定される複数の端子３とを備えるカード用コネクタ。【選択図】図２
0003138751.tif 000002
【実用新案登録請求の範囲】
【請求項１】
カード式電子データ記録媒体と回路板との間を電気接続するためのカード用コネクタであって、
複数の開口が形成された絶縁体と、
前記各開口に取り付けられると共に、両端が前記絶縁体に固定される複数の端子とを備えることを特徴とするカード用コネクタ。
【請求項２】
前記各端子はそれぞれ、順に第１延出部、接触部、第２延出部、湾曲部、半田付け部とを有することを特徴とする請求項１に記載のカード用コネクタ。
【請求項３】
前記絶縁体の各開口はそれぞれ、一対の長壁及び一対の短壁によって与えられ、前記各端子はそれぞれ両端が、相対する短壁を貫通することにより該絶縁体に固設されることを特徴とする請求項２に記載のカード用コネクタ。
【請求項４】
前記湾曲部及び前記半田付け部が前記絶縁体の外部に位置することを特徴とする請求項３に記載のカード用コネクタ。
【請求項５】
前記絶縁体の下面に少なくとも２つの位置決めロッドが設けられることを特徴とする請求項１に記載のカード用コネクタ。
【考案の詳細な説明】
【技術分野】
【０００１】
本考案は、特にカード式電子データ記録媒体に適用されるカード用コネクタに関するものである。
【背景技術】
【０００２】
図１に示すように、台湾実用新案公告第５６８３９４号には従来技術として、絶縁体（５）及び複数の端子（６）を備えるＳＩＭ（Ｓｕｂｓｃｒｉｂｅｒ  Ｉｄｅｎｔｉｔｙ  Ｍｏｄｕｌｅ：加入者識別モジュール）カード用コネクタが掲示され、該従来技術の絶縁体（５）は、開口（５２）が形成される表面（５０）と取付け面（５１）とを有し、該端子（６）は、表面（５０）より高所に位置する接触部（６０）及び弾性部（６１）を有する。また、このカード用コネクタにおける端子は、その一端が絶縁体に固着され、他端が宙に浮き、即ち、オーバーハングタイプのように絶縁体に固定されている。
【考案の開示】
【考案が解決しようとする課題】
【０００３】
しかしながら、前記従来のカード用コネクタは、ＳＩＭカードの挿抜を頻繁に行うと、端子が変形して、端子とＳＩＭカードとの間で接触不良を引き起こす可能性があった。
【０００４】
そこで案出されたのが本考案であって、その主要な目的は、従来技術の欠点を解消すると共に、カード式電子データ記録媒体を搭載する様々なデジタル電子機器に適用できるカード用コネクタを提供することである。
【０００５】
また、本考案の好ましい実施態様によれば、カード用コネクタは、携帯電話端末（図示せず）に内蔵され、ＳＩＭカードと回路板とを電気接続するものである。故に、本考案のカード用コネクタは主に、ＰＤＡやデジカメなどのメモリーカードを搭載可能なデジタル電子機器に適用される。
【課題を解決するための手段】
【０００６】
本願の請求項１に係る考案は、カード式電子データ記録媒体と回路板（Ｐ）との間を電気接続するためのカード用コネクタであって、  
複数の開口（２０）が形成された絶縁体（２）と、  
前記各開口（２０）に取り付けられると共に、両端が前記絶縁体（２）に固定される複数の端子（３）とを備えることを特徴とするカード用コネクタを提供するものである。
【０００７】
本願の請求項２に係る考案は、前記各端子（３）はそれぞれ、順に第１延出部（３１）、接触部（３３）、第２延出部（３５）、湾曲部（３７）、半田付け部（３９）とを有することを特徴とする請求項１に記載のカード用コネクタを提供するものである。
【０００８】
本願の請求項３に係る考案は、前記絶縁体（２）の各開口（２０）はそれぞれ、一対の長壁及び一対の短壁によって与えられ、前記各端子（３）はそれぞれ両端が、相対する短壁を貫通することにより該絶縁体（２）に固設されることを特徴とする請求項２に記載のカード用コネクタを提供するものである。
【０００９】
本願の請求項４に係る考案は、前記湾曲部（３７）及び前記半田付け部（３９）が前記絶縁体（２）の外部に位置することを特徴とする請求項３に記載のカード用コネクタを提供するものである。
【００１０】
本願の請求項５に係る考案は、前記絶縁体（２）の下面に少なくとも２つの位置決めロッドが設けられることを特徴とする請求項１に記載のカード用コネクタを提供するものである。
【考案の効果】
【００１１】
本考案は上記の課題を解決するものであり、前記構成により、製造コストを低減できるだけでなく、使用寿命を延長でき、更には、ＳＩＭカードのみではなく、カード式電子データ記録媒体を搭載可能な様々なデジタル電子機器にも適用できる設計となっている。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、該実施例そのものに何ら限定されるものではない。
【００１３】
図２は本考案に係るカード用コネクタの斜視図であり、図３は図２に示すカード用コネクタの平面図であり、図４は図２に示すカード用コネクタの使用状態を示す側面図である。
【００１４】
図２乃至図４に示すように、本考案に係るカード用コネクタの実施例では、カード用コネクタ（１）が、矩形のシート状プラスティックからなる絶縁体（２）及び複数の端子（３）を備え、該絶縁体（２）は、その厚さが約０.５ｍｍであり、表面（２１）と、回路板に位置決めするための、少なくとも２つの位置決めロッド（２２１）が設けられる裏面（２２）と、対向し合う短側面（２３）と、対向し合う長側面（２４）とを有し、更に、絶縁体（２）には、表面（２１）と裏面（２２）とを貫通し、互いに並列状を成す複数の開口（２０）が形成され、該各開口（２０）はそれぞれ第１壁（２０１）と、該第１壁（２０１）と対向する第２壁（２０２）と、第３壁（２０３）と、該第３壁（２０３）と対向する第４壁（２０４）とに囲まれた範囲とする。
【００１５】
また、図２及び図４に示すように、端子（３）は、導電性に優れた合金を、プレスし折り曲げてなる部材であり、第１延出部（３１）と、ＳＩＭカード（Ｓ）の導電範囲に接触する、逆Ｕ字状の接触部（３３）と、第２延出部（３５）と、湾曲部（３７）と、回路板（Ｐ）に半田付けするための半田付け部（３９）とを順に有し、該接触部（３３）は、接触時における、下方への最大変位量が０.３ｍｍであり、前記絶縁体（２）より薄いので、回路板（Ｐ）に接触することはない。
【００１６】
本考案のカード用コネクタを製造する時は、当業者が慣用するインサート成形（ｉｎｓｅｒｔ  ｍｏｌｄｉｎｇ）により、複数の端子（３）を絶縁体（２）に取り付け、該端子（３）をそれぞれ、対応する開口（２０）に位置させ、第１延出部（３１）を、第１壁（２０１）から貫通させるように絶縁体（２）に埋め込むと共に、第２延出部（３５）を、第２壁（２０２）から貫通させるように絶縁体（２）に埋め込み、該湾曲部（３７）及び半田付け部（３９）を絶縁体（２）の外部に位置させる。即ち、簡単に言うと、該各端子（３）をそれぞれ、両端を絶縁体（２）に固定するように、対応する開口（２０）に取り付けるということである。なお、この構造を採用すれば、製造が従来よりも容易となり、製造コストも削減することができる。
【００１７】
上述したように、本考案のカード用コネクタ（１）は、端子（３）の両端が絶縁体（２）に支持されるので、従来のカード用コネクタよりもカードの挿抜に耐え使用寿命を延長することができる。
【００１８】
更に、本考案のカード用コネクタ（１）は、ＳＩＭカードのみではなく、カード式電子データ記録媒体を搭載可能な様々なデジタル電子機器に適用できるので、実用性に優れている。
【産業上の利用可能性】
【００１９】
本考案は上記の構成を有するので、製造コストを低減できるだけでなく、使用寿命を延長でき、更には、ＳＩＭカードのみではなく、カード式電子データ記録媒体を搭載可能な様々なデジタル電子機器にも適用できる。
【図面の簡単な説明】
【００２０】
【図１】従来のカード用コネクタの斜視図である。
【図２】本考案に係るカード用コネクタの斜視図である。
【図３】図２に示すカード用コネクタの平面図である。
【図４】図２に示すカード用コネクタの使用状態を示す側面図である。
【符号の説明】
【００２１】
Ｐ  回路板
Ｓ  ＳＩＭカード
１  カード用コネクタ
２  絶縁体
２０  開口
２０１  第１壁
２０２  第２壁
２０３  第３壁
２０４  第４壁
２１  表面
２２  裏面
２２１  位置決めロッド
２３  短側面
２４  長側面
３  端子
３１  第１延出部
３３  接触部
３５  第２延出部
３７  湾曲部
３９  半田付け部
５  絶縁体
５０  表面
５１  取付け面
５２  開口
６  端子
６０  接触部
６１  弾性部
【図１】
0003138751.tif 000003
【図２】
0003138751.tif 000004
【図３】
0003138751.tif 000005
【図４】
0003138751.tif 000006